(57)【要約】  本発明に係る無線測定収集方法は、無線基地局ｅＮＢを含むＥ−ＵＴＲＡＮが、複数の測定トリガを設定するためのIdleMDTConfigurationメッセージを無線端末ＵＥに送信するステップと、無線端末ＵＥが、Ｅ−ＵＴＲＡＮからのIdleMDTConfigurationメッセージに応じて複数の測定トリガを自端末に設定するステップと、無線端末ＵＥが、アイドル状態において、複数の測定トリガ毎に無線環境の測定を行うステップと、無線端末ＵＥが、測定を行うステップで得られた測定結果を、当該測定結果に対応する測定トリガと関連付けて記録するステップとを備える。
2012039440.tif 000002
【特許請求の範囲】
【請求項１】
無線基地局を含むネットワークが、複数の測定トリガを設定するための測定構成メッセージを無線端末に送信するステップと、
前記無線端末が、前記ネットワークからの前記測定構成メッセージに応じて前記複数の測定トリガを自端末に設定するステップと、
前記無線端末が、アイドル状態において、前記複数の測定トリガ毎に無線環境の測定を行うステップと、
前記無線端末が、前記測定を行うステップで得られた測定結果を、前記測定結果に対応する測定トリガと関連付けて記録するステップと
を備える無線測定収集方法。
【請求項２】
前記複数の測定トリガ毎に記憶領域を確保するステップをさらに備え、
前記記録するステップでは、前記測定結果を、対応する記憶領域に記録する請求項１に記載の無線測定収集方法。
【請求項３】
前記記録するステップは、前記測定結果に対応する測定トリガを示すトリガ識別子を前記測定結果に付加するステップを備える請求項１に記載の無線測定収集方法。
【請求項４】
前記記録するステップは、前記複数の測定トリガのうち一の測定トリガに対応する複数の測定結果が得られた場合に、前記一の測定トリガを示す一つのトリガ識別子を前記複数の測定結果に付加するステップを備える請求項１に記載の無線測定収集方法。
【請求項５】
前記ネットワークが、前記無線端末がアイドル状態からコネクテッド状態に遷移した後、前記測定結果の送信を要求する要求メッセージを前記無線端末に送信するステップと、
前記無線端末が、前記ネットワークからの前記要求メッセージに応じて、前記測定結果を、前記測定結果に対応する測定トリガを示すトリガ識別子と共に前記ネットワークに送信するステップと
をさらに備える請求項１に記載の無線測定収集方法。
【請求項６】
前記無線端末が、アイドル状態からコネクテッド状態に遷移する際に、前記測定結果を記憶していることを示す情報を、前記測定結果に対応する測定トリガを示すトリガ識別子と共に前記ネットワークに送信するステップをさらに備える請求項１に記載の無線測定収集方法。
【請求項７】
前記ネットワークが、前記無線端末がアイドル状態からコネクテッド状態に遷移した後、測定トリガを示すトリガ識別子を含む要求メッセージを前記無線端末に送信するステップと、
前記無線端末が、前記ネットワークからの前記要求メッセージに含まれる前記トリガ識別子に対応する測定結果を前記ネットワークに送信するステップと
をさらに備える請求項１に記載の無線測定収集方法。
【請求項８】
記憶部と、
無線基地局との無線通信を行うように構成された無線通信部と、
前記記憶部及び前記無線通信部を制御するように構成された制御部とを備え、
前記制御部は、
複数の測定トリガを設定するための測定構成メッセージを前記無線通信部が受信した場合に、受信した測定構成メッセージに応じて前記複数の測定トリガを設定し、
アイドル状態において、前記設定した複数の測定トリガ毎に無線環境の測定を行い、
前記測定により得られた測定結果を、前記測定結果に対応する測定トリガと関連付けて記録するように構成される無線端末。
【請求項９】
ネットワークが、無線端末のための測定構成を示す情報を送信するステップと、
前記無線端末が、アイドル状態において、前記ネットワークからの前記測定構成に対応する無線アクセス技術（ＲＡＴ）と、他のＲＡＴとに対して、無線環境の測定を行うステップと、
前記無線端末が、前記測定を行うステップで得られた測定結果を複数のＲＡＴ毎に記録するステップと
を備える無線測定収集方法。
【請求項１０】
前記複数のＲＡＴ毎に記憶領域を確保するステップをさらに備え、
前記記録するステップでは、前記測定結果を、対応する記憶領域に記録する請求項９に記載の無線測定収集方法。
【請求項１１】
前記記録するステップは、前記測定結果に対応するＲＡＴを示すＲＡＴ識別子を前記測定結果に付加するステップを備える請求項９に記載の無線測定収集方法。
【請求項１２】
前記記録するステップは、前記複数のＲＡＴのうち一のＲＡＴについて複数の測定結果が得られた場合に、前記一のＲＡＴを示す一つのＲＡＴ識別子を前記複数の測定結果に付加するステップを備える請求項９に記載の無線測定収集方法。
【請求項１３】
前記ネットワークが、前記無線端末がアイドル状態からコネクテッド状態に遷移した後、前記測定結果の送信を要求する要求メッセージを前記無線端末に送信するステップと、
前記無線端末が、前記ネットワークからの前記要求メッセージに応じて、前記測定結果を、前記測定結果に対応するＲＡＴを示すＲＡＴ識別子と共に前記ネットワークに送信するステップと
をさらに備える請求項９に記載の無線測定収集方法。
【請求項１４】
前記無線端末が、アイドル状態からコネクテッド状態に遷移する際に、前記測定結果を記憶していることを示す情報を、前記測定結果に対応するＲＡＴを示すＲＡＴ識別子と共に前記ネットワークに送信するステップをさらに備える請求項９に記載の無線測定収集方法。
【請求項１５】
前記無線端末が、アイドル状態からコネクテッド状態に遷移する際に、前記測定結果を記憶していることを示す情報を前記複数のＲＡＴ毎に前記ネットワークに送信するステップをさらに備える請求項９に記載の無線測定収集方法。
【請求項１６】
前記ネットワークが、前記無線端末がアイドル状態からコネクテッド状態に遷移した後、ＲＡＴ識別子を含む要求メッセージを前記無線端末に送信するステップと、
前記無線端末が、前記ネットワークからの前記要求メッセージに含まれる前記ＲＡＴ識別子に対応する前記測定結果を前記ネットワークに送信するステップと
をさらに備える請求項９に記載の無線測定収集方法。
【請求項１７】
記憶部と、
無線基地局との無線通信を行うように構成された無線通信部と、
前記記憶部及び前記無線通信部を制御するように構成された制御部と
を備え、
前記制御部は、
前記無線通信部が、ネットワークから、測定構成を示す情報を受信した場合に、
アイドル状態において、前記測定構成に対応する無線アクセス技術（ＲＡＴ）と、他のＲＡＴとに対して、無線環境の測定を行い、
前記測定により得られた測定結果を複数のＲＡＴ毎に記録するように構成される無線端末。
【請求項１８】
ネットワークが、無線端末のための測定構成を示す情報を送信するステップと、
前記無線端末が、アイドル状態において、前記ネットワークからの前記測定構成に対応する無線アクセス技術（ＲＡＴ）と、他のＲＡＴとに対して、無線環境の測定を行うステップと、
前記ネットワークが、前記測定結果の送信を要求する要求メッセージを前記無線端末に送信するステップと、
前記無線端末が、前記ネットワークからの前記要求メッセージに応じて、複数のＲＡＴ毎に得られた前記測定結果を、前記複数のＲＡＴ毎のＲＡＴ識別子と共に前記ネットワークに送信するステップと
を備える無線測定収集方法。
【請求項１９】
記憶部と、
無線基地局との無線通信を行うように構成された無線通信部と、
前記記憶部及び前記無線通信部を制御するように構成された制御部と
を備え、
前記制御部は、
前記無線通信部が、ネットワークから測定構成を示す情報を受信した場合に、
アイドル状態において、前記測定構成に対応する無線アクセス技術（ＲＡＴ）と、他のＲＡＴとに対して、無線環境の測定を行い、
前記ネットワークからの要求メッセージに応じて、複数のＲＡＴ毎に得られた前記測定結果を前記複数のＲＡＴ毎のＲＡＴ識別子と共に前記ネットワークに送信するように構成される無線端末。
【発明の詳細な説明】
【技術分野】
【０００１】
本発明は、無線環境の測定及び収集を行う無線測定収集方法及び無線端末に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用して、無線環境を測定及び収集するドライブテストが行われている。【０００３】
このような無線環境の測定及び収集は、無線基地局等のパラメータの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、無線環境の測定及び収集を自動化する技術であるＭＤＴ（Minimization of Drive Test）の仕様策定が進められている（3GPP TR 36.805 V9.0.0 “Study on Minimization of drive-tests in Next Generation Networks”, 2009-12、及び、3GPP TS 37.320 v0.7.0, “Radio measurement collection for Minimization of Drive Tests (MDT)”, 2010-07参照）。【０００４】
ＭＤＴの一形態である記録型ＭＤＴ（Logged MDTと称される）では、以下の方法で無線環境の測定及び収集を行うことが想定されている。まず、無線基地局を含んで構成されるネットワークが、測定構成を設定する測定構成メッセージを無線端末に送信する。測定構成は、測定トリガ等を含む。次に、無線端末が、アイドル状態（すなわち待ち受け中の状態）において、ネットワークから受信した測定構成メッセージによって設定された測定構成に従って無線環境の測定を行い、測定結果を記録する。
【発明の概要】
【０００５】
現状の記録型ＭＤＴの仕様では、複数の測定構成を同一無線端末に同時に設定することは想定されていない。しかしながら、例えば移動通信システムのサービス開始当初等においては、短時間で様々な測定結果を得ることが望まれるが、現状の記録型ＭＤＴの仕様では、測定のトリガ（以下、測定トリガ）や、測定対象の無線アクセス技術（以下、測定対象ＲＡＴ）を１つしか設定できないため、短時間で様々な測定結果を得ることは困難である。
【０００６】
そこで、本発明は、様々な測定結果を短時間で得ることができる無線測定収集方法及び無線端末を提供する。
【０００７】
本発明に係る無線測定収集方法の特徴は、無線基地局（例えば無線基地局ｅＮＢ）を含むネットワーク（例えばＥ−ＵＴＲＡＮ）が、複数の測定トリガを設定するための測定構成メッセージ（例えばIdleMDTConfigurationメッセージ）を無線端末（無線端末ＵＥ）に送信するステップと、前記無線端末が、前記ネットワークからの前記測定構成メッセージに応じて前記複数の測定トリガを自端末に設定するステップと、前記無線端末が、アイドル状態において、前記複数の測定トリガ毎に無線環境の測定を行うステップと、前記無線端末が、前記測定を行うステップで得られた測定結果を、前記測定結果に対応する測定トリガと関連付けて記録するステップとを備えることを要旨とする。
【０００８】
このような特徴によれば、複数の測定トリガを同一無線端末に同時に設定し、測定結果を測定トリガ毎に分類して記録できるため、測定トリガ毎に分類された様々な測定結果を短時間で得ることができる。
【０００９】
本発明に係る無線測定収集方法の他の特徴は、上記特徴に係る無線測定収集方法において、前記複数の測定トリガ毎に記憶領域を確保するステップをさらに備え、前記記録するステップでは、前記測定結果を、対応する記憶領域に記録することを要旨とする。
【００１０】
本発明に係る無線測定収集方法の他の特徴は、上記特徴に係る無線測定収集方法において、前記記録するステップは、前記測定結果に対応する測定トリガを示すトリガ識別子を前記測定結果に付加するステップを備えることを要旨とする。
【００１１】
本発明に係る無線測定収集方法の他の特徴は、上記特徴に係る無線測定収集方法において、前記記録するステップは、前記複数の測定トリガのうち一の測定トリガに対応する複数の測定結果が得られた場合に、前記一の測定トリガを示す一つのトリガ識別子を前記複数の測定結果に付加するステップを備えることを要旨とする。
【００１２】
本発明に係る無線測定収集方法の他の特徴は、上記特徴に係る無線測定収集方法において、前記ネットワークが、前記無線端末がアイドル状態からコネクテッド状態に遷移した後、前記測定結果の送信を要求する要求メッセージ（例えばUEInformationRequestメッセージ）を前記無線端末に送信するステップと、前記無線端末が、前記ネットワークからの前記要求メッセージに応じて、前記測定結果を、前記測定結果に対応する測定トリガを示すトリガ識別子と共に前記ネットワークに送信するステップとをさらに備えることを要旨とする。
【００１３】
本発明に係る無線測定収集方法の他の特徴は、上記特徴に係る無線測定収集方法において、前記無線端末が、アイドル状態からコネクテッド状態に遷移する際に、前記測定結果を記憶していることを示す情報（例えばAVAILABILITY INDICATOR）を、前記測定結果に対応する測定トリガを示すトリガ識別子と共に前記ネットワークに送信するステップをさらに備えることを要旨とする。
【００１４】
本発明に係る無線測定収集方法の他の特徴は、上記特徴に係る無線測定収集方法において、前記ネットワークが、前記無線端末がアイドル状態からコネクテッド状態に遷移した後、測定トリガを示すトリガ識別子を含む要求メッセージ（例えばUEInformationRequestメッセージ）を前記無線端末に送信するステップと、前記無線端末が、前記ネットワークからの前記要求メッセージに含まれる前記トリガ識別子に対応する測定結果を前記ネットワークに送信するステップとをさらに備えることを要旨とする。
【００１５】
本発明に係る無線端末の特徴は、記憶部（記憶部２５０）と、無線基地局との無線通信を行うように構成された無線通信部（無線通信部２１０）と、前記記憶部及び前記無線通信部を制御するように構成された制御部（制御部２６０）とを備え、前記制御部は、複数の測定トリガを設定するための測定構成メッセージ（例えばIdleMDTConfigurationメッセージ）を前記無線通信部が受信した場合に、受信した測定構成メッセージに応じて前記複数の測定トリガを設定し、アイドル状態において、前記設定した複数の測定トリガ毎に無線環境の測定を行い、前記測定により得られた測定結果を、前記測定結果に対応する測定トリガと関連付けて記録するように構成されることを要旨とする。
【００１６】
本発明に係る無線測定収集方法の特徴は、ネットワークが、無線端末のための測定構成を示す情報を送信するステップと、前記無線端末が、アイドル状態において、前記ネットワークからの前記測定構成に対応する無線アクセス技術（ＲＡＴ）と、他のＲＡＴとに対して、無線環境の測定を行うステップと、前記無線端末が、前記測定を行うステップで得られた測定結果を複数のＲＡＴ毎に記録するステップとを備えることを要旨とする。
【００１７】
本発明に係る無線測定収集方法の他の特徴は、前記複数のＲＡＴ毎に記憶領域を確保するステップをさらに備え、前記記録するステップでは、前記測定結果を、対応する記憶領域に記録することを要旨とする。
【００１８】
本発明に係る無線測定収集方法の他の特徴は、前記記録するステップは、前記測定結果に対応するＲＡＴを示すＲＡＴ識別子を前記測定結果に付加するステップを備えることを要旨とする。
【００１９】
本発明に係る無線測定収集方法の他の特徴は、前記記録するステップは、前記複数のＲＡＴのうち一のＲＡＴについて複数の測定結果が得られた場合に、前記一のＲＡＴを示す一つのＲＡＴ識別子を前記複数の測定結果に付加するステップを備えることを要旨とする。
【００２０】
本発明に係る無線測定収集方法の他の特徴は、前記ネットワークが、前記無線端末がアイドル状態からコネクテッド状態に遷移した後、前記測定結果の送信を要求する要求メッセージを前記無線端末に送信するステップと、前記無線端末が、前記ネットワークからの前記要求メッセージに応じて、前記測定結果を、前記測定結果に対応するＲＡＴを示すＲＡＴ識別子と共に前記ネットワークに送信するステップとをさらに備えることを要旨とする。
【００２１】
本発明に係る無線測定収集方法の他の特徴は、前記無線端末が、アイドル状態からコネクテッド状態に遷移する際に、前記測定結果を記憶していることを示す情報を、前記測定結果に対応するＲＡＴを示すＲＡＴ識別子と共に前記ネットワークに送信するステップをさらに備えることを要旨とする。
【００２２】
本発明に係る無線測定収集方法の他の特徴は、前記無線端末が、アイドル状態からコネクテッド状態に遷移する際に、前記測定結果を記憶していることを示す情報を前記複数のＲＡＴ毎に前記ネットワークに送信するステップをさらに備えることを要旨とする。
【００２３】
本発明に係る無線測定収集方法の他の特徴は、前記ネットワークが、前記無線端末がアイドル状態からコネクテッド状態に遷移した後、ＲＡＴ識別子を含む要求メッセージを前記無線端末に送信するステップと、前記無線端末が、前記ネットワークからの前記要求メッセージに含まれる前記ＲＡＴ識別子に対応する前記測定結果を前記ネットワークに送信するステップとをさらに備えることを要旨とする。
【００２４】
本発明に係る無線端末の特徴は、記憶部と、無線基地局との無線通信を行うように構成された無線通信部と、前記記憶部及び前記無線通信部を制御するように構成された制御部とを備え、前記制御部は、前記無線通信部が、ネットワークから、測定構成を示す情報を受信した場合に、アイドル状態において、前記測定構成に対応する無線アクセス技術（ＲＡＴ）と、他のＲＡＴとに対して、無線環境の測定を行い、前記測定により得られた測定結果を複数のＲＡＴ毎に記録するように構成されることを要旨とする。
【００２５】
本発明に係る無線測定収集方法の特徴は、ネットワークが、無線端末のための測定構成を示す情報を送信するステップと、前記無線端末が、アイドル状態において、前記ネットワークからの前記測定構成に対応する無線アクセス技術（ＲＡＴ）と、他のＲＡＴとに対して、無線環境の測定を行うステップと、前記ネットワークが、前記測定結果の送信を要求する要求メッセージを前記無線端末に送信するステップと、前記無線端末が、前記ネットワークからの前記要求メッセージに応じて、複数のＲＡＴ毎に得られた前記測定結果を、前記複数のＲＡＴ毎のＲＡＴ識別子と共に前記ネットワークに送信するステップとを備えることを要旨とする。
【００２６】
本発明に係る無線端末の特徴は、記憶部と、無線基地局との無線通信を行うように構成された無線通信部と、前記記憶部及び前記無線通信部を制御するように構成された制御部とを備え、前記制御部は、前記無線通信部が、ネットワークから測定構成を示す情報を受信した場合に、アイドル状態において、前記測定構成に対応する無線アクセス技術（ＲＡＴ）と、他のＲＡＴとに対して、無線環境の測定を行い、前記ネットワークからの要求メッセージに応じて、複数のＲＡＴ毎に得られた前記測定結果を前記複数のＲＡＴ毎のＲＡＴ識別子と共に前記ネットワークに送信するように構成されることを要旨とする。
【図面の簡単な説明】
【００２７】
【図１】図１は、第１実施形態に係る移動通信システムの全体概略構成を示す図である。
【図２】図２は、第１実施形態及び第２実施形態に係る無線基地局の構成を示すブロック図である。
【図３】図３は、第１実施形態及び第２実施形態に係る無線端末の構成を示すブロック図である。
【図４】図４は、第１実施形態に係る記録方法１を説明するための概念図である。
【図５】図５は、第１実施形態に係る記録方法２を説明するための概念図である。
【図６】図６は、第１実施形態に係る記録方法３を説明するための概念図である。
【図７】図７は、第１実施形態に係る無線測定収集方法を示すシーケンス図である。
【図８】図８は、第１実施形態の変更例１に係る無線測定収集方法を示すシーケンス図である。
【図９】図９は、第１実施形態の変更例２に係る無線測定収集方法を示すシーケンス図である。
【図１０】図１０は、第２実施形態に係る移動通信システムの全体概略構成を示す図である。
【図１１】図１１は、第２実施形態に係る記録方法１を説明するための概念図である。
【図１２】図１２は、第２実施形態に係る記録方法２を説明するための概念図である。
【図１３】図１３は、第２実施形態に係る記録方法３を説明するための概念図である。
【図１４】図１４は、第２実施形態に係る無線測定収集方法を示すシーケンス図である。
【図１５】図１５は、第２実施形態の変更例１に係る無線測定収集方法を示すシーケンス図である。
【図１６】図１６は、第２実施形態の変更例２に係る無線測定収集方法を示すシーケンス図である。
【図１７】図１７は、第２実施形態の変更例３に係る無線測定収集方法を示すシーケンス図である。
【発明を実施するための形態】
【００２８】
図面を参照して、本発明の第１実施形態、第２実施形態、及びその他の実施形態を説明する。以下の各実施形態における図面において、同一又は類似の部分には同一又は類似の符号を付している。
【００２９】
（１）第１実施形態
第１実施形態では、（１．１）移動通信システムの概要、（１．２）無線基地局の構成、（１．３）無線端末の構成、（１．４）無線測定収集方法、（１．５）第１実施形態の効果、（１．６）第１実施形態の変更例１、（１．７）第１実施形態の変更例２、（１．８）第１実施形態の変更例３について説明する。
【００３０】
（１．１）移動通信システムの概要
図１は、第１実施形態に係る移動通信システム１の全体概略構成を示す図である。
【００３１】
図１に示すように、移動通信システム１は、無線端末ＵＥ（User Equipment）、複数の無線基地局ｅＮＢ（evolved Node-B）、保守監視装置ＯＡＭ（Operation and Maintenance）、及び複数の移動管理装置ＭＭＥ（Mobility Management Entity）／ゲートウェイ装置Ｓ−ＧＷ（Serving Gateway）を有する。
【００３２】
複数の無線基地局ｅＮＢ（ｅＮＢ＃１〜ｅＮＢ＃３）は、Ｅ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。無線端末ＵＥは、ユーザが所持する無線通信装置であり、ユーザ装置とも称される。
【００３３】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。
【００３４】
なお、以下においては、Ｅ−ＵＴＲＡＮと保守監視装置ＯＡＭとを併せて適宜「ネットワーク」と称する。ただし、異なる無線アクセス技術（ＲＡＴ）の無線アクセスネットワークが「ネットワーク」に含まれてもよい。
【００３５】
移動通信システム１は、記録型ＭＤＴ（Logged MDTと称される）をサポートする。記録型ＭＤＴとは、アイドル状態の無線端末ＵＥが、設定された条件を満たすときに測定を行い、測定結果を含むＭＤＴデータを後でネットワークに報告するために記録するものである。記録型ＭＤＴでは、以下の方法で無線環境の測定及び収集を行う。
【００３６】
第１に、ネットワークが、測定構成を設定するための測定構成メッセージであるIdleMDTConfigurationメッセージを、コネクテッド状態の無線端末ＵＥに送信する。測定構成は、測定対象（measurements to be logged）、測定トリガ（triggering of logging event）、測定時間（total duration of logging）、絶対時間（network absolute time stamp）、及び測定エリア（measurements area）を含む。ただし、測定エリア（measurements area）は、測定構成に含まれなくてもよい。なお、測定構成は、MDT Configurationと称されることがある。
【００３７】
測定対象は、例えば測定を行うべき周波数帯であり、Ｅ−ＵＴＲＡＮでは、無線端末ＵＥは、測定対象の周波数帯について参照信号受信電力（ＲＳＲＰ）及び参照信号受信品質（ＲＳＲＱ）を測定する。
【００３８】
測定トリガは、例えば周期的な下りリンクパイロット信号強度測定トリガであり、この領域で測定間隔を設定可能である。無線端末ＵＥは、設定された測定間隔に従って測定を行う。
【００３９】
ただし、このような周期的な測定トリガに限らず、次に挙げる測定トリガの少なくとも１つを設定可能である。ここでは、各測定トリガの概要を説明するが、詳細については3GPP TR 36.805 V9.0.0 “Study on Minimization of drive-tests in Next Generation Networks”を参照されたい。
【００４０】
・サービングセルの無線環境が閾値を下回ったこと。当該トリガ種別は、カバレッジ最適化、具体的には、下りリンクの問題が生じている位置を特定するのに適している。
【００４１】
・無線端末の送信電力余裕（headroom）が閾値を下回ったこと。当該トリガ種別は、上りリンクの送信電力レベルの観測や、上りリンクのリンクバジェットが不十分な位置を特定するのに適している。
【００４２】
・ランダムアクセス処理に失敗したこと。当該トリガ種別は、ランダムアクセス失敗の原因を特定するのに適している。
【００４３】
・ページングチャネルのデコードに失敗したこと。当該トリガ種別は、アイドル状態の無線端末に信頼性のあるページング情報が届いているかを把握するのに適している。
【００４４】
・ブロードキャストチャネルのデコードに失敗したこと。当該トリガ種別は、アイドル状態の無線端末がキャンプ（待ち受け）できなかった際の無線環境や位置等を特定するのに適している。
【００４５】
これらの測定トリガを無線端末ＵＥに複数同時に設定する、すなわち複数の測定トリガに対応する複数の測定構成を無線端末ＵＥに同時に設定することで、様々な目的に合致した様々な測定結果を同時に得ることができる。
【００４６】
なお、測定時間は、記録型ＭＤＴの持続期間を設定するものであり、絶対時間は、ＵＥで生成する時間情報（タイムスタンプ）の基準を設定するものである。
【００４７】
第２に、無線端末ＵＥが、アイドル状態、且つ測定期間において、IdleMDTConfigurationメッセージに従って、設定された測定トリガに対応するイベントが生じた際に無線環境の測定を行うとともに、測定結果を含むＭＤＴデータを記録する。無線端末ＵＥは、IdleMDTConfigurationメッセージによる測定構成の設定時に測定期間のタイマを起動し、当該タイマが満了するとＭＤＴデータの記録を終了する。なお、無線環境とは、例えばＲＳＲＰやＲＳＲＱである。また、ＭＤＴデータは、測定結果に加え、位置情報及びタイムスタンプ（時間情報）を含む。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００４８】
第３に、無線端末ＵＥが、アイドル状態（RRC Idle state）からコネクテッド状態（RRC Connected state）に移行する際に、ＭＤＴデータを保持していることを示すログ保持情報（Availability Indicatorと称される）をネットワークに送信する。具体的には、無線端末ＵＥは、コネクテッド状態の確立が完了したことを示すRRCConnectionSetupCompleteメッセージに、ログ保持情報を含めてネットワークに送信する。
【００４９】
第４に、ネットワークが、受信したログ保持情報に基づいて、ＭＤＴデータの報告を要求する要求メッセージであるUEInformationRequestメッセージを無線端末ＵＥに送信する。無線端末ＵＥは、UEInformationRequestメッセージを受信すると、保持しているＭＤＴデータを含むUEInformationResponseメッセージをネットワークに送信する。
【００５０】
（１．２）無線基地局の構成
図２は、無線基地局ｅＮＢの構成を示すブロック図である。
【００５１】
図２に示すように、無線基地局ｅＮＢは、アンテナ１０１、無線通信部１１０、ネットワーク通信部１２０、記憶部１３０、及び制御部１４０を有する。
【００５２】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００５３】
制御部１４０は、測定制御部１４１及び収集処理部１４２を有する。
【００５４】
測定制御部１４１は、（ネットワークによって選択された）無線端末ＵＥに測定構成を設定すると決定すると、測定構成（測定対象、測定トリガ、測定時間、絶対時間、及び測定エリア）を含むIdleMDTConfigurationメッセージを生成する。第１実施形態では、測定制御部１４１は、複数の測定トリガに対応する複数の測定構成を含むIdleMDTConfigurationメッセージを生成する。そして、測定制御部１４１は、当該IdleMDTConfigurationメッセージを無線端末ＵＥに送信するよう無線通信部１１０を制御する。
【００５５】
収集処理部１４２は、無線端末ＵＥからＭＤＴデータを収集する処理を行う。具体的には、収集処理部１４２は、ログ保持情報（Availability Indicator）を含むRRCConnectionSetupCompleteメッセージを無線通信部１１０が受信した後、（ネットワークによって）無線端末ＵＥからＭＤＴデータを収集すると決定された場合に、UEInformationRequestメッセージを生成し、生成したUEInformationRequestメッセージを無線端末ＵＥに送信するよう無線通信部１１０を制御する。収集処理部１４２は、UEInformationRequestメッセージに応じて無線端末ＵＥから送信（報告）されたUEInformationResponseメッセージを無線通信部１１０が受信すると、受信したUEInformationResponseメッセージに含まれるＭＤＴデータを取得する。
【００５６】
そして、収集処理部１４２は、取得したＭＤＴデータを保守監視装置ＯＡＭに送信するようネットワーク通信部１２０を制御する。なお、収集処理部１４２は、ＭＤＴデータを保守監視装置ＯＡＭに送信するケースに限らず、当該ＭＤＴデータの内容を解釈し、自無線基地局ｅＮＢのパラメータ最適化に使用してもよい。
【００５７】
（１．３）無線端末の構成
図３は、無線端末ＵＥの構成を示すブロック図である。
【００５８】
図３に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００５９】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００６０】
制御部２６０は、構成設定部２６１、ロギング処理部２６２、及び報告処理部２６３を有する。
【００６１】
構成設定部２６１は、コネクテッド状態において、IdleMDTConfigurationメッセージを無線通信部２１０が受信すると、受信したIdleMDTConfigurationメッセージに含まれる測定構成を設定（すなわち、記憶部２５０に記憶）する。また、構成設定部２６１は、測定構成の設定時に測定期間のタイマ（duration timer）を起動する。
【００６２】
第１実施形態では、構成設定部２６１は、複数の測定トリガに対応する複数の測定構成を含むIdleMDTConfigurationメッセージを無線通信部２１０が受信すると、受信したIdleMDTConfigurationメッセージに含まれる複数の測定構成を設定（すなわち、記憶部２５０に記憶）する。
【００６３】
ロギング処理部２６２は、アイドル状態において、記憶部２５０に記憶された各測定構成について無線環境の測定及び位置情報・時間情報（タイムスタンプ）の取得を行うとともに、測定結果、位置情報、及びタイムスタンプを含むＭＤＴデータを記録（すなわち、記憶部２５０に格納）する。第１実施形態では、ロギング処理部２６２は、測定対象（measurements to be logged）で指定された周波数帯について、複数の測定トリガ（triggering of logging event）のそれぞれに対応するイベントが生じた際に測定を行う。
【００６４】
ロギング処理部２６２は、複数の測定トリガ毎に無線環境の測定を行い、以下の記録方法１〜３の何れかに従って測定結果を当該測定結果に対応する測定トリガと関連付けて記録する。以下では、１回の測定で得られた測定結果と当該測定時の位置情報及びタイムスタンプとの組を「測定レコード」と称する。ＭＤＴデータは複数の測定レコードの集合である。
【００６５】
図４は、第１実施形態に係る記録方法１を説明するための概念図である。
【００６６】
図４に示すように、ロギング処理部２６２は、複数の測定トリガ毎に、記憶部２５０内に記憶領域を確保する。具体的には、ロギング処理部２６２は、測定トリガ#１に対応する記憶領域＃１を確保し、測定トリガ#２に対応する記憶領域＃２を確保する。
【００６７】
そして、ロギング処理部２６２は、測定トリガ#１に対応するイベントが生じた際に測定を行うと、測定結果、位置情報、及びタイムスタンプからなる測定レコードを記憶領域＃１に記録する。図４では、ロギング処理部２６２は、測定トリガ#１に対応する測定レコード＃１、測定レコード＃２、測定レコード＃４を記憶領域＃１に記録している。
【００６８】
また、ロギング処理部２６２は、測定トリガ#２に対応するイベントが生じた際に測定を行うと、測定結果、位置情報、及びタイムスタンプからなる測定レコードを記憶領域＃２に記録する。図４では、ロギング処理部２６２は、測定トリガ#２に対応する測定レコード＃３を記憶領域＃２に記録している。
【００６９】
図５は、第１実施形態に係る記録方法２を説明するための概念図である。
【００７０】
図５に示すように、ロギング処理部２６２は、複数の測定トリガに対して同一の記憶領域を確保し、測定トリガを示すトリガ識別子を各測定レコードにヘッダとして付加する。
【００７１】
図５では、ロギング処理部２６２は、測定トリガ#１に対応する測定レコード＃１、測定レコード＃２、測定レコード＃４のそれぞれに対し、測定トリガ＃１を示すトリガ識別子＃１をヘッダとして付加している。また、ロギング処理部２６２は、測定トリガ#２に対応する測定レコード＃３に対し、測定トリガ＃２を示すトリガ識別子＃２をヘッダとして付加している。
【００７２】
図６は、第１実施形態に係る記録方法３を説明するための概念図である。
【００７３】
図６に示すように、ロギング処理部２６２は、複数の測定トリガに対して同一の記憶領域を確保し、測定トリガを示す一つのトリガ識別子を複数の測定レコードに付加する。具体的には、ロギング処理部２６２は、同一の測定トリガに対応する測定レコードが連続して得られた場合に、連続する測定レコードに対して一つのトリガ識別子を付加する。その後、ロギング処理部２６２は、異なる測定トリガに対応する測定レコードが得られた場合に、測定レコードの境目にトリガ識別子を挿入する。
【００７４】
図６では、ロギング処理部２６２は、測定トリガ#１に対応する測定レコード＃１が得られた際に測定トリガ#１を示すトリガ識別子＃１を測定レコード＃１の前に付加し、その後、測定トリガ#１に対応する測定レコード＃２が得られた際に測定レコード＃１の後に測定レコード＃２を記録する。
【００７５】
そして、測定トリガ#２に対応する測定レコード＃３が得られると、測定トリガ#２を示すトリガ識別子＃２を測定レコード＃２と測定レコード＃３との間に挿入する。その後、測定トリガ#１に対応する測定レコード＃４が得られると、測定トリガ#１を示すトリガ識別子＃１を測定レコード＃３と測定レコード＃４との間に挿入する。
【００７６】
再び図３に戻り、構成設定部２６１は、測定エリア（measurements area）が指定されている場合に、指定されたセルＩＤ又はトラッキングエリアにキャンプ（待ち受け）する場合にのみ測定を行う。また、ロギング処理部２６２は、測定期間のタイマ（duration timer）が満了するとＭＤＴデータの記録を終了する。
【００７７】
なお、構成設定部２６１は、測定期間のタイマ（duration timer）が満了すると、測定構成を消去する。さらに、構成設定部２６１は、測定構成及びＭＤＴデータを保持している際にネットワークから新たな測定構成メッセージを受信して新たな測定構成を設定する場合、新たな測定構成に置き換えるとともに、保持しているＭＤＴデータを消去する。
【００７８】
報告処理部２６３は、記憶部２５０にＭＤＴデータが保持されている場合であって、アイドル状態からコネクテッド状態へ状態遷移した際に、ＭＤＴデータを保持していることを示すログ保持情報を、アイドル状態からコネクテッド状態への遷移が完了したことを示すRRCConnectionSetupCompleteメッセージに含めて送信するよう無線通信部２１０を制御する。ただし、報告処理部２６３は、測定構成が設定されたＲＡＴとは異なるＲＡＴにおいては、ログ保持情報を送信しないよう制御する。
【００７９】
報告処理部２６３は、コネクテッド状態において、UEInformationRequestメッセージを無線通信部２１０が受信すると、記憶部２５０からＭＤＴデータを取得し、取得したＭＤＴデータを含むUEInformationResponseメッセージを生成する。ここで、ＭＤＴデータは、上記記録方法１〜３の何れかの方法で測定トリガ毎に分類されている。具体的には、ＭＤＴデータに含まれる測定レコードには、トリガ識別子が付加されている。
【００８０】
そして、報告処理部２６３は、生成したUEInformationResponseメッセージをネットワーク（無線基地局ｅＮＢ）に送信するよう無線通信部２１０を制御する。このようにしてＭＤＴデータがネットワークに報告されると、報告処理部２６３は、記憶部２５０に記憶されたＭＤＴデータを消去する。
【００８１】
（１．４）無線測定収集方法
図７は、第１実施形態に係る無線測定収集方法を示すシーケンス図である。
【００８２】
図７に示すように、ステップＳ１０１において、Ｅ−ＵＴＲＡＮに含まれる無線基地局ｅＮＢは、複数の測定トリガに対応する複数の測定構成を含むIdleMDTConfigurationメッセージを、コネクテッド状態の無線端末ＵＥに送信する。無線端末ＵＥは、IdleMDTConfigurationメッセージを受信する。
【００８３】
ステップＳ１０２において、無線端末ＵＥは、受信したIdleMDTConfigurationメッセージに含まれる複数の測定構成を自端末に設定する。
【００８４】
ステップＳ１０３において、無線端末ＵＥは、コネクテッド状態からアイドル状態に遷移する。
【００８５】
ステップＳ１０４において、無線端末ＵＥは、複数の測定構成（すなわち複数の測定トリガ）毎に無線環境の測定を行い、上記記録方法１〜３の何れかに従って、測定結果を含む測定レコードを測定トリガと関連付けて記録する。
【００８６】
ステップＳ１０５において、無線端末ＵＥは、Ｅ−ＵＴＲＡＮに含まれる無線基地局ｅＮＢとの接続処理を行う。なお、ここで接続先となる無線基地局ｅＮＢは、IdleMDTConfigurationメッセージの送信元基地局とは異なるものである可能性が高い。
【００８７】
ステップＳ１０６において、無線端末ＵＥは、アイドル状態からコネクテッド状態に遷移する。
【００８８】
ステップＳ１０７において、無線端末ＵＥは、ログ保持情報（Availability Indicator）を含むRRCConnectionSetupCompleteメッセージを無線基地局ｅＮＢに送信する。無線基地局ｅＮＢは、RRCConnectionSetupCompleteメッセージを受信する。
【００８９】
ステップＳ１０８において、無線基地局ｅＮＢは、無線端末ＵＥからＭＤＴデータを収集する場合に、UEInformationRequestメッセージを無線端末ＵＥに送信する。無線端末ＵＥは、UEInformationRequestメッセージを受信する。
【００９０】
ステップＳ１０９において、無線端末ＵＥは、ＭＤＴデータを含むUEInformationResponseメッセージを無線基地局ｅＮＢに送信する。ここで、ＭＤＴデータは、上記記録方法１〜３の何れかの方法で測定トリガ毎に分類されている。具体的には、ＭＤＴデータに含まれる測定レコードには、トリガ識別子が付加されている。
【００９１】
無線基地局ｅＮＢは、UEInformationResponseメッセージを受信すると、取得したＭＤＴデータを保守監視装置ＯＡＭに送信する。なお、無線基地局ｅＮＢは、当該ＭＤＴデータの内容を解釈し、自無線基地局ｅＮＢのパラメータ最適化に使用してもよい。
【００９２】
（１．５）第１実施形態の効果
以上説明したように、第１実施形態によれば、複数の測定トリガを同一無線端末ＵＥに同時に設定可能であり、且つ、測定レコードを測定トリガ毎に分類して記録できる。従って、ネットワークは、測定トリガ毎に分類された様々な測定レコードを短時間で得ることができる。その結果、移動通信システム１のサービス品質を短時間で改善することに寄与できる。
【００９３】
（１．６）第１実施形態の変更例１
上述した第１実施形態では、無線端末ＵＥは、ログ保持情報（Availability Indicator）を含むRRCConnectionSetupCompleteメッセージを無線基地局ｅＮＢに送信していた。このような方法では、無線基地局ｅＮＢを含むネットワークは、無線端末ＵＥがどのような測定トリガに対応するＭＤＴデータを保持しているのかを把握できず、無線端末ＵＥからＭＤＴデータを収集すべきかを判断することが難しい。
【００９４】
そこで、本変更例では、無線端末ＵＥは、ＭＤＴデータを保持していることを示すログ保持情報に加え、保持しているＭＤＴデータに対応する測定トリガ毎のトリガ識別子をRRCConnectionSetupCompleteメッセージに含めて送信する。
【００９５】
図８は、第１実施形態の変更例１に係る無線測定収集方法を示すシーケンス図である。ステップＳ２０１〜ステップＳ２０６の処理は第１実施形態と同様であるため、ステップＳ２０７以降の処理を説明する。
【００９６】
図８に示すように、ステップＳ２０７において、無線端末ＵＥは、ログ保持情報（Availability Indicator）と、保持しているＭＤＴデータに対応する測定トリガ毎のトリガ識別子とを含むRRCConnectionSetupCompleteメッセージを無線基地局ｅＮＢに送信する。無線基地局ｅＮＢは、RRCConnectionSetupCompleteメッセージを受信する。
【００９７】
ステップＳ２０８において、無線基地局ｅＮＢ又は保守監視装置ＯＡＭは、RRCConnectionSetupCompleteメッセージに含まれる複数のトリガ識別子に基づいて、無線端末ＵＥが保持するＭＤＴデータを収集するか否かを判断する。収集すると判断された場合、無線基地局ｅＮＢは、UEInformationRequestメッセージを無線端末ＵＥに送信する。無線端末ＵＥは、UEInformationRequestメッセージを受信する。
【００９８】
ステップＳ２０９において、無線端末ＵＥは、ＭＤＴデータを含むUEInformationResponseメッセージを無線基地局ｅＮＢに送信する。ここで、ＭＤＴデータは、上記記録方法１〜３の何れかの方法で測定トリガ毎に分類されている。具体的には、ＭＤＴデータに含まれる測定レコードには、トリガ識別子が付加されている。
【００９９】
無線基地局ｅＮＢは、UEInformationResponseメッセージを受信すると、取得したＭＤＴデータを保守監視装置ＯＡＭに送信する。なお、無線基地局ｅＮＢは、当該ＭＤＴデータの内容を解釈し、自無線基地局ｅＮＢのパラメータ最適化に使用してもよい。
【０１００】
（１．７）第１実施形態の変更例２
本変更例では、無線端末ＵＥは、ＭＤＴデータを保持していることを示すログ保持情報に加え、保持しているＭＤＴデータに対応する測定トリガ毎のトリガ識別子をRRCConnectionSetupCompleteメッセージに含めて送信する。また、無線基地局ｅＮＢは、ログ保持情報（Availability Indicator）及びトリガ識別子を含むRRCConnectionSetupCompleteメッセージを受信した後、トリガ識別子に基づいて何れかの測定トリガについてのＭＤＴデータを収集すると決定された場合に、収集対象のトリガ識別子を含むUEInformationRequestメッセージを無線端末ＵＥに送信する。
【０１０１】
図９は、第１実施形態の変更例２に係る無線測定収集方法を示すシーケンス図である。ステップＳ３０１〜ステップＳ３０６の処理は第１実施形態と同様であるため、ステップＳ３０７以降の処理を説明する。
【０１０２】
図９に示すように、ステップＳ３０７において、無線端末ＵＥは、ログ保持情報（Availability Indicator）と、保持しているＭＤＴデータに対応する測定トリガ毎のトリガ識別子とを含むRRCConnectionSetupCompleteメッセージを無線基地局ｅＮＢに送信する。無線基地局ｅＮＢは、RRCConnectionSetupCompleteメッセージを受信する。
【０１０３】
ステップＳ３０８において、無線基地局ｅＮＢは、RRCConnectionSetupCompleteメッセージに含まれる複数のトリガ識別子のうち（ネットワークによって）選択された少なくとも１つのトリガ識別子を含むUEInformationRequestメッセージを無線端末ＵＥに送信する。無線端末ＵＥは、UEInformationRequestメッセージを受信する。
【０１０４】
ステップＳ３０９において、無線端末ＵＥは、UEInformationRequestメッセージに含まれるトリガ識別子に対応する各測定レコードをＭＤＴデータから抽出し、抽出された測定レコードを含むUEInformationResponseメッセージを無線基地局ｅＮＢに送信する。ここで、抽出された測定レコードには、トリガ識別子が付加されている。
【０１０５】
無線基地局ｅＮＢは、UEInformationResponseメッセージを受信すると、取得したＭＤＴデータ（測定レコード）を保守監視装置ＯＡＭに送信する。なお、無線基地局ｅＮＢは、当該ＭＤＴデータ（測定レコード）の内容を解釈し、自無線基地局ｅＮＢのパラメータ最適化に使用してもよい。
【０１０６】
（１．８）第１実施形態の変更例３
上述した第１実施形態及びその変更例においては、無線端末ＵＥが、Ｅ−ＵＴＲＡＮにおいてＭＤＴデータを記録（ロギング）し、且つ、Ｅ−ＵＴＲＡＮにおいてＭＤＴデータを報告するケースを説明した。しかしながら、無線端末ＵＥは、このように同一の無線アクセス技術（ＲＡＴ）内で測定及び報告を行うケースに限らず、あるＲＡＴにおいてＭＤＴデータを記録し、且つ、他ＲＡＴにおいてＭＤＴデータを報告してもよい。
【０１０７】
無線端末ＵＥは、ＭＤＴデータを記録したＲＡＴとは異なるＲＡＴの無線基地局に接続する場合には、ログ保持情報（Availability Indicator）を含むRRCConnectionSetupCompleteメッセージを当該無線基地局に送信する際に、記録しているＭＤＴデータが別ＲＡＴのものであることを通知するためのＲＡＴ識別子も送信する。例えば、ＲＡＴ識別子は、２ビットで構成され、ＬＴＥ（Ｅ−ＵＴＲＡＮ）は“００”、ＵＭＴＳは“０１”、ＣＤＭＡは“１０”で表現される。ＲＡＴ識別子を受信した無線基地局は、無線端末ＵＥが記録したＭＤＴデータがどのＲＡＴのものであるかを把握することができる。
【０１０８】
（２）第２実施形態
第２実施形態は、Ｅ−ＵＴＲＡＮ以外のＲＡＴにも対応した無線端末ＵＥを使用して記録型ＭＤＴを行う実施形態である。第２実施形態では、第１実施形態との相違点を説明し、重複する説明を省略する。以下において、（２．１）移動通信システムの概要、（２．２）無線基地局の構成、（２．３）無線端末の構成、（２．４）無線測定収集方法、（２．５）第２実施形態の効果、（２．６）第２実施形態の変更例１、（２．７）第２実施形態の変更例２、（２．８）第２実施形態の変更例３について説明する。
【０１０９】
（２．１）移動通信システムの概要
図１０は、第２実施形態に係る移動通信システム１の全体概略構成を示す図である。
【０１１０】
図１０に示すように、第２実施形態に係る移動通信システム１は、上述した第１実施形態で説明したシステム構成に加え、Ｅ−ＵＴＲＡＮとは異なるＲＡＴ（例えばＣＤＭＡ２０００等）の無線基地局を有する。
【０１１１】
移動通信システム１は、異なるＲＡＴに跨る記録型ＭＤＴ（Cross RAT measurementとも称される）をサポートする。
【０１１２】
第１に、ネットワークが、複数のＲＡＴに対応する複数の測定構成を設定するための測定構成メッセージであるIdleMDTConfigurationメッセージを、コネクテッド状態の無線端末ＵＥに送信する。各測定構成は、測定対象（measurements to be logged）、測定トリガ（triggering of logging event）、測定時間（total duration of logging）、絶対時間（network absolute time stamp）、及び測定エリア（measurements area）を含む。ただし、測定エリア（measurements area）は、測定構成に含まれなくてもよい。
【０１１３】
第２に、無線端末ＵＥが、アイドル状態において、複数のＲＡＴに対応する複数の測定構成に従って、無線環境の測定を行うとともに、測定結果を含むＭＤＴデータを記録する。以下において、無線端末ＵＥによる測定の対象となるＲＡＴを「測定対象ＲＡＴ」と称する。
【０１１４】
第３に、無線端末ＵＥが、あるＲＡＴにおいて、アイドル状態（RRC Idle state）からコネクテッド状態（RRC Connected state）に移行する際に、当該ＲＡＴに対応するＭＤＴデータを保持（記録）していることを示すログ保持情報（Availability Indicator）と、他ＲＡＴに対応するＭＤＴデータを保持していることを示すログ保持情報（Availability Indicator）とをネットワークに送信できる。具体的には、無線端末ＵＥは、当該ＲＡＴ及び他ＲＡＴのそれぞれに対応するＭＤＴデータを保持している場合に、コネクテッド状態の確立が完了したことを示すRRCConnectionSetupCompleteメッセージに、当該ＲＡＴ及び他ＲＡＴのそれぞれについてのログ保持情報を含めてネットワークに送信する。ただし、無線端末ＵＥは、他ＲＡＴのログ保持情報（１ビット）に代えて、他ＲＡＴを識別するＲＡＴ識別子を送信してもよい。例えば、ＲＡＴ識別子は、２ビットで構成され、ＬＴＥ（Ｅ−ＵＴＲＡＮ）は“００”、ＵＭＴＳは“０１”、ＣＤＭＡは“１０”で表現される。ＲＡＴ識別子を受信した無線基地局は、無線端末ＵＥが記録したＭＤＴデータがどのＲＡＴのものであるかを把握することができる。
【０１１５】
第４に、ネットワークが、受信したログ保持情報に基づいて、ＭＤＴデータの報告を要求する要求メッセージであるUEInformationRequestメッセージを無線端末ＵＥに送信する。無線端末ＵＥは、UEInformationRequestメッセージを受信すると、保持しているＭＤＴデータを含むUEInformationResponseメッセージをネットワークに送信する。
【０１１６】
（２．２）無線基地局の構成
再び図２を用いて、第２実施形態に係る無線基地局ｅＮＢについて、第１実施形態との相違点を説明する。
【０１１７】
測定制御部１４１は、（ネットワークによって選択された）無線端末ＵＥに測定構成を設定すると決定すると、自ＲＡＴ（すなわちＥ−ＵＴＲＡＮ）及び他ＲＡＴのそれぞれに対応する測定構成（測定対象、測定トリガ、測定時間、絶対時間、及び測定エリア）を含むIdleMDTConfigurationメッセージを生成する。そして、測定制御部１４１は、当該IdleMDTConfigurationメッセージを無線端末ＵＥに送信するよう無線通信部１１０を制御する。
【０１１８】
収集処理部１４２は、無線端末ＵＥからＭＤＴデータを収集する処理を行う。具体的には、収集処理部１４２は、自ＲＡＴ及び／又は他ＲＡＴのログ保持情報（Availability Indicator）を含むRRCConnectionSetupCompleteメッセージを無線通信部１１０が受信した後、（ネットワークによって）無線端末ＵＥからＭＤＴデータを収集すると決定された場合に、UEInformationRequestメッセージを生成し、生成したUEInformationRequestメッセージを無線端末ＵＥに送信するよう無線通信部１１０を制御する。収集処理部１４２は、UEInformationRequestメッセージに応じて無線端末ＵＥから送信（報告）されたUEInformationResponseメッセージを無線通信部１１０が受信すると、受信したUEInformationResponseメッセージに含まれるＲＡＴ毎のＭＤＴデータを取得する。当該ＭＤＴデータには、対応するＲＡＴを識別するＲＡＴ識別子が付加されている。
【０１１９】
そして、収集処理部１４２は、取得したＭＤＴデータを保守監視装置ＯＡＭに送信するようネットワーク通信部１２０を制御する。なお、収集処理部１４２は、ＭＤＴデータを保守監視装置ＯＡＭに送信するケースに限らず、当該ＭＤＴデータの内容を解釈し、自無線基地局ｅＮＢのパラメータ最適化に使用してもよい。
【０１２０】
（２．３）無線端末の構成
再び図３を用いて、第２実施形態に係る無線端末ＵＥについて、第１実施形態との相違点を説明する。
【０１２１】
構成設定部２６１は、コネクテッド状態において、IdleMDTConfigurationメッセージを無線通信部２１０が受信すると、受信したIdleMDTConfigurationメッセージに含まれる、複数の測定対象ＲＡＴに対応する複数の測定構成を設定（すなわち、記憶部２５０に記憶）する。また、構成設定部２６１は、各測定構成の設定時に測定期間のタイマ（duration timer）を起動する。
【０１２２】
ロギング処理部２６２は、アイドル状態において、記憶部２５０に記憶された各測定構成について無線環境の測定及び位置情報・時間情報（タイムスタンプ）の取得を行うとともに、測定結果、位置情報、及びタイムスタンプを含むＭＤＴデータを複数の測定対象ＲＡＴ毎に記録（すなわち、記憶部２５０に格納）する。第２実施形態では、ロギング処理部２６２は、複数の測定対象ＲＡＴについて、測定トリガ（triggering of logging event）に対応するイベントが生じた際に測定を行う。
【０１２３】
ロギング処理部２６２は、複数の測定対象ＲＡＴ毎に無線環境の測定を行い、以下の記録方法１〜３の何れかに従って、測定結果を当該測定結果に対応する測定対象ＲＡＴと関連付けて記録する。以下では、１回の測定で得られた測定結果と当該測定時の位置情報及びタイムスタンプとの組を「測定レコード」と称する。ＭＤＴデータは複数の測定レコードの集合である。
【０１２４】
図１１は、第２実施形態に係る記録方法１を説明するための概念図である。
【０１２５】
図１１に示すように、ロギング処理部２６２は、複数の測定対象ＲＡＴ毎に、記憶部２５０内に記憶領域を確保する。具体的には、ロギング処理部２６２は、測定対象ＲＡＴ#１（例えばＥ−ＵＴＲＡＮ）に対応する記憶領域＃１を確保し、測定対象ＲＡＴ#２（例えばＣＤＭＡ２０００）に対応する記憶領域＃２を確保する。
【０１２６】
そして、ロギング処理部２６２は、測定対象ＲＡＴ#１に対する測定を行うと、測定結果、位置情報、及びタイムスタンプからなる測定レコードを記憶領域＃１に記録する。図１１では、ロギング処理部２６２は、測定対象ＲＡＴ#１に対応する測定レコード＃１、測定レコード＃２、測定レコード＃４を記憶領域＃１に記録している。
【０１２７】
また、ロギング処理部２６２は、測定対象ＲＡＴ#２に対する測定を行うと、測定結果、位置情報、及びタイムスタンプからなる測定レコードを記憶領域＃２に記録する。図１１では、ロギング処理部２６２は、測定対象ＲＡＴ#２に対応する測定レコード＃３を記憶領域＃２に記録している。
【０１２８】
図１２は、第２実施形態に係る記録方法２を説明するための概念図である。
【０１２９】
図１２に示すように、ロギング処理部２６２は、複数の測定対象ＲＡＴに対して同一の記憶領域を確保し、測定対象ＲＡＴを示すＲＡＴ識別子を各測定レコードにヘッダとして付加する。
【０１３０】
図１２では、ロギング処理部２６２は、測定対象ＲＡＴ#１に対応する測定レコード＃１、測定レコード＃２、測定レコード＃４のそれぞれに対し、測定対象ＲＡＴ＃１を示すＲＡＴ識別子＃１をヘッダとして付加している。また、ロギング処理部２６２は、測定対象ＲＡＴ#２に対応する測定レコード＃３に対し、測定対象ＲＡＴ＃２を示すＲＡＴ識別子＃２をヘッダとして付加している。
【０１３１】
図１３は、第２実施形態に係る記録方法３を説明するための概念図である。
【０１３２】
図１３に示すように、ロギング処理部２６２は、複数の測定対象ＲＡＴに対して同一の記憶領域を確保し、測定対象ＲＡＴを示す一つのＲＡＴ識別子を複数の測定レコードに付加する。具体的には、ロギング処理部２６２は、同一の測定対象ＲＡＴに対応する測定レコードが連続して得られた場合に、連続する測定レコードに対して一つのＲＡＴ識別子を付加する。その後、ロギング処理部２６２は、異なる測定対象ＲＡＴに対応する測定レコードが得られた場合に、測定レコードの境目にＲＡＴ識別子を挿入する。
【０１３３】
図１３では、ロギング処理部２６２は、測定対象ＲＡＴ#１に対応する測定レコード＃１が得られた際に測定対象ＲＡＴ#１を示すＲＡＴ識別子＃１を測定レコード＃１の前に付加し、その後、測定対象ＲＡＴ#１に対応する測定レコード＃２が得られた際に測定レコード＃１の後に測定レコード＃２を記録する。
【０１３４】
そして、測定対象ＲＡＴ#２に対応する測定レコード＃３が得られると、測定対象ＲＡＴ#２を示すＲＡＴ識別子＃２を測定レコード＃２と測定レコード＃３との間に挿入する。その後、測定対象ＲＡＴ#１に対応する測定レコード＃４が得られると、測定対象ＲＡＴ#１を示すＲＡＴ識別子＃１を測定レコード＃３と測定レコード＃４との間に挿入する。
【０１３５】
再び図３に戻り、構成設定部２６１は、測定エリア（measurements area）が指定されている場合に、指定されたセルＩＤ又はトラッキングエリアにキャンプ（待ち受け）する場合にのみ測定を行う。また、ロギング処理部２６２は、測定期間のタイマ（duration timer）が満了するとＭＤＴデータの記録を終了する。
【０１３６】
なお、構成設定部２６１は、測定期間のタイマ（duration timer）が満了すると、測定構成を消去する。さらに、構成設定部２６１は、測定構成及びＭＤＴデータを保持している際にネットワークから新たな測定構成メッセージを受信して新たな測定構成を設定する場合、新たな測定構成に置き換えるとともに、保持しているＭＤＴデータを消去する。
【０１３７】
報告処理部２６３は、記憶部２５０にＭＤＴデータが保持されている場合であって、アイドル状態からコネクテッド状態へ状態遷移した際に、ＭＤＴデータを保持していることを示すログ保持情報を、アイドル状態からコネクテッド状態への遷移が完了したことを示すRRCConnectionSetupCompleteメッセージに含めて送信するよう無線通信部２１０を制御する。ただし、報告処理部２６３は、コネクト先のＲＡＴに対応するＭＤＴデータを保持している場合には、コネクト先のＲＡＴに対応するＭＤＴデータを保持していることを示す第１のログ保持情報を送信するよう制御する。また、報告処理部２６３は、コネクト先のＲＡＴ以外のＲＡＴに対応するＭＤＴデータを保持している場合には、コネクト先のＲＡＴ以外のＲＡＴに対応するＭＤＴデータを保持していることを示す第２のログ保持情報を送信するよう制御する。なお、報告処理部２６３は、第２のログ保持情報に代えて、コネクト先のＲＡＴ以外のＲＡＴを識別するＲＡＴ識別子を送信するよう制御してもよい。
【０１３８】
報告処理部２６３は、コネクテッド状態において、UEInformationRequestメッセージを無線通信部２１０が受信すると、記憶部２５０からＭＤＴデータを取得する。ＭＤＴデータは、上記記録方法１〜３の何れかの方法で測定対象ＲＡＴ毎に分類されている。具体的には、ＭＤＴデータ（あるいは測定レコード）には、ＲＡＴ識別子が付加されている。なお、Ｅ−ＵＴＲＡＮ以外のＲＡＴの無線基地局からＭＤＴデータの送信を要求されるケースでは、UEInformationRequestメッセージとは異なる名称のメッセージが使用されてもよい。以下においては、ＭＤＴデータの送信要求に使用するメッセージを単にInformationRequestメッセージと称する。
【０１３９】
そして、報告処理部２６３は、取得したＭＤＴデータを含むUEInformationResponseメッセージを生成する。なお、Ｅ−ＵＴＲＡＮ以外のＲＡＴの無線基地局にＭＤＴデータを送信するケースでは、UEInformationResponseメッセージとは異なる名称のメッセージが使用されてもよい。以下においては、ＭＤＴデータの送信に使用するメッセージを単にInformationResponseメッセージと称する。
【０１４０】
そして、報告処理部２６３は、生成したInformationResponseメッセージをネットワーク（無線基地局）に送信するよう無線通信部２１０を制御する。このようにしてＭＤＴデータがネットワークに報告されると、報告処理部２６３は、記憶部２５０に記憶されたＭＤＴデータを消去する。
【０１４１】
（２．４）無線測定収集方法
図１４は、第２実施形態に係る無線測定収集方法を示すシーケンス図である。
【０１４２】
図１４に示すように、ステップＳ４０１において、Ｅ−ＵＴＲＡＮに含まれる無線基地局ｅＮＢは、複数の測定対象ＲＡＴに対応する複数の測定構成を含むIdleMDTConfigurationメッセージを、コネクテッド状態の無線端末ＵＥに送信する。無線端末ＵＥは、IdleMDTConfigurationメッセージを受信する。
【０１４３】
ステップＳ４０２において、無線端末ＵＥは、受信したIdleMDTConfigurationメッセージに含まれる各測定構成を自端末に設定する。
【０１４４】
ステップＳ４０３において、無線端末ＵＥは、コネクテッド状態からアイドル状態に遷移する。
【０１４５】
ステップＳ４０４において、無線端末ＵＥは、複数の測定対象ＲＡＴ毎に無線環境の測定を行い、上記記録方法１〜３の何れかに従って、測定結果を含む測定レコードを測定対象ＲＡＴと関連付けて記録する。すなわち、測定レコードからなるＭＤＴデータは、上記記録方法１〜３の何れかの方法で測定対象ＲＡＴ毎に分類されている。
【０１４６】
ステップＳ４０５において、無線端末ＵＥは、Ｅ−ＵＴＲＡＮに含まれる無線基地局ｅＮＢ、又はＥ−ＵＴＲＡＮ以外のＲＡＴの無線基地局との接続処理を行う。
【０１４７】
ステップＳ４０６において、無線端末ＵＥは、アイドル状態からコネクテッド状態に遷移する。
【０１４８】
ステップＳ４０７において、無線端末ＵＥは、ログ保持情報（Availability Indicator）を含むRRCConnectionSetupCompleteメッセージを当該無線基地局に送信する。具体的には、無線端末ＵＥは、コネクト先のＲＡＴに対応するＭＤＴデータを保持している場合には、コネクト先のＲＡＴに対応するＭＤＴデータを保持していることを示す第１のログ保持情報を当該無線基地局に送信する。また、無線端末ＵＥは、コネクト先のＲＡＴ以外のＲＡＴに対応するＭＤＴデータを保持している場合には、コネクト先のＲＡＴ以外のＲＡＴに対応するＭＤＴデータを保持していることを示す第２のログ保持情報を当該無線基地局に送信する。なお、無線端末ＵＥは、第２のログ保持情報に代えて、コネクト先のＲＡＴ以外のＲＡＴを識別するＲＡＴ識別子を当該無線基地局に送信してもよい。当該無線基地局は、RRCConnectionSetupCompleteメッセージを受信する。
【０１４９】
ステップＳ４０８において、当該無線基地局は、無線端末ＵＥからＭＤＴデータを収集する場合に、InformationRequestメッセージを無線端末ＵＥに送信する。無線端末ＵＥは、InformationRequestメッセージを受信する。
【０１５０】
ステップＳ４０９において、無線端末ＵＥは、測定対象ＲＡＴ毎のＭＤＴデータを含むInformationResponseメッセージを無線基地局に送信する。具体的には、測定対象ＲＡＴ毎のＭＤＴデータには、対応するＲＡＴを示すＲＡＴ識別子が付加されている。
【０１５１】
当該無線基地局は、InformationResponseメッセージを受信すると、取得したＭＤＴデータを保守監視装置ＯＡＭに送信する。なお、当該無線基地局は、当該ＭＤＴデータの内容を解釈し、自無線基地局のパラメータ最適化に使用してもよい。
【０１５２】
（２．５）第２実施形態の効果
以上説明したように、第２実施形態によれば、測定レコードを測定対象ＲＡＴ毎に分類して記録できる。従って、測定対象ＲＡＴ毎に分類された様々な測定レコードを短時間で得ることができる。その結果、移動通信システム１のサービス品質を短時間で改善することに寄与できる。
【０１５３】
（２．６）第２実施形態の変更例１
本変更例では、ネットワークがＲＡＴを指定してＭＤＴデータを取得可能なケースを説明する。
【０１５４】
図１５は、第２実施形態の変更例１に係る無線測定収集方法を示すシーケンス図である。ステップＳ５０１〜ステップＳ５０６の処理は第２実施形態と同様であるため、ステップＳ５０７以降の処理を説明する。
【０１５５】
図１５に示すように、ステップＳ５０７において、無線端末ＵＥは、ログ保持情報（Availability Indicator）を含むRRCConnectionSetupCompleteメッセージを無線基地局に送信する。具体的には、無線端末ＵＥは、コネクト先のＲＡＴに対応するＭＤＴデータを保持している場合には、コネクト先のＲＡＴに対応するＭＤＴデータを保持していることを示す第１のログ保持情報を当該無線基地局に送信する。また、無線端末ＵＥは、コネクト先のＲＡＴ以外のＲＡＴに対応するＭＤＴデータを保持している場合には、コネクト先のＲＡＴ以外のＲＡＴに対応するＭＤＴデータを保持していることを示す第２のログ保持情報を当該無線基地局に送信する。なお、無線端末ＵＥは、第２のログ保持情報に代えて、コネクト先のＲＡＴ以外のＲＡＴを識別するＲＡＴ識別子を当該無線基地局に送信してもよい。当該無線基地局は、RRCConnectionSetupCompleteメッセージを受信する。
【０１５６】
ステップＳ５０８において、当該無線基地局又は保守監視装置ＯＡＭは、RRCConnectionSetupCompleteメッセージに含まれるログ保持情報あるいはＲＡＴ識別子に基づいて、ＭＤＴデータの収集対象のＲＡＴを選択し、選択したＲＡＴを識別するＲＡＴ識別子を含むInformationRequestメッセージを生成する。当該無線基地局は、当該InformationRequestメッセージを無線端末ＵＥに送信する。無線端末ＵＥは、InformationRequestメッセージを受信する。
【０１５７】
ステップＳ５０９において、無線端末ＵＥは、InformationRequestメッセージに含まれるＲＡＴ識別子に対応するＭＤＴデータ（あるいは測定レコード）を抽出し、抽出したＭＤＴデータを含むInformationResponseメッセージを当該無線基地局に送信する。ここで、ＭＤＴデータは、上記記録方法１〜３の何れかの方法で測定対象ＲＡＴ毎に分類されている。具体的には、ＭＤＴデータ（あるいは測定レコード）には、ＲＡＴ識別子が付加されている。
【０１５８】
当該無線基地局は、InformationResponseメッセージを受信すると、InformationResponseメッセージに含まれるＭＤＴデータを取得して保守監視装置ＯＡＭに送信する。なお、当該無線基地局は、当該ＭＤＴデータの内容を解釈し、自無線基地局ｅＮＢのパラメータ最適化に使用してもよい。
【０１５９】
（２．７）第２実施形態の変更例２
上述した第２実施形態では、無線基地局ｅＮＢは、複数の測定対象ＲＡＴに対応する複数の測定構成を含むIdleMDTConfigurationメッセージを無線端末ＵＥに送信していた。本変更例では、無線基地局ｅＮＢは、自ＲＡＴ（すなわちＥ−ＵＴＲＡＮ）に対応する１つの測定構成を含むIdleMDTConfigurationメッセージを無線端末ＵＥに送信する。また、無線端末ＵＥは、Ｅ−ＵＴＲＡＮに対する無線環境測定時に、測定可能な他ＲＡＴの無線環境も測定し、測定結果をＲＡＴ毎に記録する。
【０１６０】
図１６は、第２実施形態の変更例２に係る無線測定収集方法を示すシーケンス図である。
【０１６１】
図１６に示すように、ステップＳ６０１において、Ｅ−ＵＴＲＡＮに含まれる無線基地局ｅＮＢは、自ＲＡＴに対応する１つの測定構成を含むIdleMDTConfigurationメッセージを、コネクテッド状態の無線端末ＵＥに送信する。無線端末ＵＥは、IdleMDTConfigurationメッセージを受信する。
【０１６２】
ステップＳ６０２において、無線端末ＵＥは、受信したIdleMDTConfigurationメッセージに含まれる測定構成を自端末に設定する。
【０１６３】
ステップＳ６０３において、無線端末ＵＥは、コネクテッド状態からアイドル状態に遷移する。
【０１６４】
ステップＳ６０４において、無線端末ＵＥは、複数の測定対象ＲＡＴ毎に無線環境の測定を行う。具体的には、無線端末ＵＥは、Ｅ−ＵＴＲＡＮに対する無線環境測定時に、測定可能な他ＲＡＴの無線環境も測定し、測定結果をＲＡＴ毎に記録する。無線端末ＵＥは、上記記録方法１〜３の何れかに従って、測定結果を含む測定レコードを測定対象ＲＡＴと関連付けて記録する。すなわち、測定レコードからなるＭＤＴデータは、上記記録方法１〜３の何れかの方法で測定対象ＲＡＴ毎に分類されている。
【０１６５】
ステップＳ６０５において、無線端末ＵＥは、Ｅ−ＵＴＲＡＮに含まれる無線基地局ｅＮＢ、又はＥ−ＵＴＲＡＮ以外のＲＡＴの無線基地局との接続処理を行う。
【０１６６】
ステップＳ６０６において、無線端末ＵＥは、アイドル状態からコネクテッド状態に遷移する。
【０１６７】
ステップＳ６０７において、無線端末ＵＥは、ログ保持情報（Availability Indicator）を含むRRCConnectionSetupCompleteメッセージを当該無線基地局に送信する。具体的には、無線端末ＵＥは、コネクト先のＲＡＴに対応するＭＤＴデータを保持している場合には、コネクト先のＲＡＴに対応するＭＤＴデータを保持していることを示す第１のログ保持情報を当該無線基地局に送信する。また、無線端末ＵＥは、コネクト先のＲＡＴ以外のＲＡＴに対応するＭＤＴデータを保持している場合には、コネクト先のＲＡＴ以外のＲＡＴに対応するＭＤＴデータを保持していることを示す第２のログ保持情報を当該無線基地局に送信する。なお、無線端末ＵＥは、第２のログ保持情報に代えて、コネクト先のＲＡＴ以外のＲＡＴを識別するＲＡＴ識別子を当該無線基地局に送信してもよい。当該無線基地局は、RRCConnectionSetupCompleteメッセージを受信する。
【０１６８】
ステップＳ６０８において、当該無線基地局は、無線端末ＵＥからＭＤＴデータを収集する場合に、InformationRequestメッセージを無線端末ＵＥに送信する。無線端末ＵＥは、InformationRequestメッセージを受信する。
【０１６９】
ステップＳ６０９において、無線端末ＵＥは、測定対象ＲＡＴ毎のＭＤＴデータを含むInformationResponseメッセージを無線基地局に送信する。具体的には、測定対象ＲＡＴ毎のＭＤＴデータには、対応するＲＡＴを示すＲＡＴ識別子が付加されている。
【０１７０】
当該無線基地局は、InformationResponseメッセージを受信すると、取得したＭＤＴデータを保守監視装置ＯＡＭに送信する。なお、当該無線基地局は、当該ＭＤＴデータの内容を解釈し、自無線基地局のパラメータ最適化に使用してもよい。
【０１７１】
（２．８）第２実施形態の変更例３
図１７は、第２実施形態の変更例３に係る無線測定収集方法を示すシーケンス図である。
【０１７２】
図１７に示すように、ステップＳ７０１において、Ｅ−ＵＴＲＡＮに含まれる無線基地局ｅＮＢは、自ＲＡＴに対応する１つの測定構成を含むIdleMDTConfigurationメッセージを、コネクテッド状態の無線端末ＵＥに送信する。無線端末ＵＥは、IdleMDTConfigurationメッセージを受信する。
【０１７３】
ステップＳ７０２において、無線端末ＵＥは、受信したIdleMDTConfigurationメッセージに含まれる測定構成を自端末に設定する。
【０１７４】
ステップＳ７０３において、無線端末ＵＥは、コネクテッド状態からアイドル状態に遷移する。
【０１７５】
ステップＳ７０４において、無線端末ＵＥは、複数の測定対象ＲＡＴ毎に無線環境の測定を行う。具体的には、無線端末ＵＥは、Ｅ−ＵＴＲＡＮに対する無線環境測定時に、測定可能な他ＲＡＴの無線環境も測定し、測定結果をＲＡＴ毎に記録する。無線端末ＵＥは、上記記録方法１〜３の何れかに従って、測定結果を含む測定レコードを測定対象ＲＡＴと関連付けて記録する。すなわち、測定レコードからなるＭＤＴデータは、上記記録方法１〜３の何れかの方法で測定対象ＲＡＴ毎に分類されている。
【０１７６】
ステップＳ７０５において、無線端末ＵＥは、Ｅ−ＵＴＲＡＮに含まれる無線基地局ｅＮＢ、又はＥ−ＵＴＲＡＮ以外のＲＡＴの無線基地局との接続処理を行う。
【０１７７】
ステップＳ７０６において、無線端末ＵＥは、アイドル状態からコネクテッド状態に遷移する。
【０１７８】
ステップＳ７０７において、無線端末ＵＥは、ログ保持情報（Availability Indicator）を含むRRCConnectionSetupCompleteメッセージを当該無線基地局に送信する。具体的には、無線端末ＵＥは、コネクト先のＲＡＴに対応するＭＤＴデータを保持している場合には、コネクト先のＲＡＴに対応するＭＤＴデータを保持していることを示す第１のログ保持情報を当該無線基地局に送信する。また、無線端末ＵＥは、コネクト先のＲＡＴ以外のＲＡＴに対応するＭＤＴデータを保持している場合には、コネクト先のＲＡＴ以外のＲＡＴに対応するＭＤＴデータを保持していることを示す第２のログ保持情報を当該無線基地局に送信する。なお、無線端末ＵＥは、第２のログ保持情報に代えて、コネクト先のＲＡＴ以外のＲＡＴを識別するＲＡＴ識別子を当該無線基地局に送信してもよい。当該無線基地局は、RRCConnectionSetupCompleteメッセージを受信する。
【０１７９】
ステップＳ７０８において、当該無線基地局又は保守監視装置ＯＡＭは、RRCConnectionSetupCompleteメッセージに含まれるログ保持情報あるいはＲＡＴ識別子に基づいて、ＭＤＴデータの収集対象のＲＡＴを選択し、選択したＲＡＴを識別するＲＡＴ識別子を含むInformationRequestメッセージを生成する。当該無線基地局は、当該InformationRequestメッセージを無線端末ＵＥに送信する。無線端末ＵＥは、InformationRequestメッセージを受信する。
【０１８０】
ステップＳ７０９において、無線端末ＵＥは、InformationRequestメッセージに含まれるＲＡＴ識別子に対応するＭＤＴデータ（あるいは測定レコード）を抽出し、抽出したＭＤＴデータを含むInformationResponseメッセージを当該無線基地局に送信する。ここで、ＭＤＴデータは、上記記録方法１〜３の何れかの方法で測定対象ＲＡＴ毎に分類されている。具体的には、ＭＤＴデータ（あるいは測定レコード）には、ＲＡＴ識別子が付加されている。
【０１８１】
当該無線基地局は、InformationResponseメッセージを受信すると、InformationResponseメッセージに含まれるＭＤＴデータを取得して保守監視装置ＯＡＭに送信する。なお、当該無線基地局は、当該ＭＤＴデータの内容を解釈し、自無線基地局ｅＮＢのパラメータ最適化に使用してもよい。
【０１８２】
（３）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１８３】
例えば、上述した第１実施形態及び第２実施形態は、別個独立して実施するケースに限らず、第１実施形態及び第２実施形態を併用して実施してもよい。
【０１８４】
また、上述した第１実施形態及び第２実施形態では、３ＧＰＰで仕様が策定されているＬＴＥ（Long Term Evolution）−Ａｄｖａｎｃｅｄに基づいて構成される移動通信システムを主として説明した。しかしながら、ＬＴＥ−Ａｄｖａｎｃｅｄに限らず、Ｗ−ＣＤＭＡ（Wideband Code Division Multiple Access）に基づいて構成される移動通信システム等についても本発明を適用可能である。
【０１８５】
このように本発明は、ここでは記載していない様々な実施形態等を包含するということを理解すべきである。
【０１８６】
なお、米国仮出願第６１／３８５０７９号（２０１０年９月２１日出願）の全内容が、参照により、本願明細書に組み込まれている。
【産業上の利用可能性】
【０１８７】
以上のように、本発明に係る無線測定収集方法及び無線端末によれば、様々な測定結果を短時間で得ることができるため、移動体通信などの無線通信において有用である。
【図１】
2012039440.tif 000003
【図２】
2012039440.tif 000004
【図３】
2012039440.tif 000005
【図４】
2012039440.tif 000006
【図５】
2012039440.tif 000007
【図６】
2012039440.tif 000008
【図７】
2012039440.tif 000009
【図８】
2012039440.tif 000010
【図９】
2012039440.tif 000011
【図１０】
2012039440.tif 000012
【図１１】
2012039440.tif 000013
【図１２】
2012039440.tif 000014
【図１３】
2012039440.tif 000015
【図１４】
2012039440.tif 000016
【図１５】
2012039440.tif 000017
【図１６】
2012039440.tif 000018
【図１７】
2012039440.tif 000019
【国際調査報告】
2012039440.tif 000020
2012039440.tif 000021
2012039440.tif 000022
2012039440.tif 000023